(57)【特許請求の範囲】
【請求項１】
洗濯機本体と、
前記洗濯機本体内に回転自在に配設される洗濯兼脱水槽と、
前記洗濯機本体の上部に配設され、前記洗濯兼脱水槽を覆う外郭と、
前記外郭に設けられ、前記洗濯兼脱水槽内に連通する衣類投入口と、
前記衣類投入口を開閉自在に覆う蓋体と、
前記蓋体の開閉それぞれの状態を検知する蓋検知手段と、
前記蓋体と前記蓋検知手段との間に配設し、前記蓋体の開閉に連動して前記蓋検知手段を操作する伝達手段とを備え、
前記蓋検知手段は、少なくとも二つの端子を備え、前記端子が接触する第一の状態と、前記端子が接触しない第二の状態とを備え、
前記伝達手段は、前記蓋体が開く際に、前記端子の少なくとも一方を前記第一の状態から前記第二の状態になる方向に付勢することを特徴とした洗濯機。
【請求項２】
二つの端子は、略平行に配置し、
伝達手段の一部は伸延して、前記二つの端子の間に略くさび形状を構成する剥離手段を備えたことを特徴とした請求項１に記載の洗濯機。
【請求項３】
二つの端子を収納するケースと、
前記ケースに構成し、伝達手段を回転自在に連結支持する第一の軸受と、
外郭に構成し、蓋体を回転自在に連結支持する第二の軸受と、
前記伝達手段に構成し、前記蓋体側に伸延した第一のレバーと、
前記第一のレバーを第二の状態となる方向に付勢する付勢手段と、
前記蓋体に構成し、前記第二の軸受近傍から伸延した第二のレバーと、を備え、
前記蓋体が閉じる際には前記第二のレバーが、前記第一のレバーを前記第一の状態となる方向に付勢することを特徴とした請求項１または２に記載の洗濯機。
【請求項４】
蓋体の前方を構成する前蓋体と、
前記蓋体の後方を構成する後蓋体と、
前記前蓋体に構成し、前記前蓋体と前記後蓋体を回転自在に連結支持する第三の軸受と、前記前蓋体に構成する第一の回転制限手段と、前記後蓋体に構成する第二の回転制限手段と、を備え、
前記前蓋体が、前記第三の軸受を回転中心として回転する際に、前記前蓋体が、所定角度回転する前に回転を停止するよう、前記第一の回転制限手段と、前記第二の回転制限手段とを配置したことを特徴とした請求項１から３のいずれか１項に記載の洗濯機。
【発明の詳細な説明】
【技術分野】
【０００１】
本発明は、洗濯機に係り、特に、蓋体の開閉を検知する蓋検知手段を備えた洗濯機に関する。
【背景技術】
【０００２】
従来、この種の洗濯機は、洗濯機本体内に洗濯兼脱水槽を配設し、洗濯機本体の上部には、外郭を配設している。外郭には、洗濯兼脱水槽に衣類を出し入れする衣類投入口を有し、衣類投入口を開閉自在に覆う蓋体を有している。そして、洗濯兼脱水槽の回転時に、蓋体と外郭との間に隙間が生じないように、蓋体の開閉を蓋検知手段により検知している（例えば、特許文献１参照）。
【０００３】
図１０は、従来の洗濯機において蓋体を閉じたときの要部断面図である。図１１は、従来の洗濯機の要部拡大断面図である。
【０００４】
以下、図１０及び図１１に基づいて、従来の洗濯機の構成について説明する。
【０００５】
洗濯機本体１０２内部には、洗濯兼脱水槽１０１を回転自在に収納し、洗濯機本体１０２には、洗濯機本体１０２の上部全体をほぼ覆う外郭１０３が装着されている。外郭１０３の略中央には、衣類投入口１０４を形成している。外郭１０３には、衣類投入口１０４の上方全体を覆う蓋体１０５を開閉自在に装着している。
【０００６】
蓋体１０５は、蓋体１０５の前方を構成する前蓋体１１０と、蓋体１０５の後方を構成する後蓋体１１１とから構成し、前蓋体１１０と後蓋体１１１とは、第三の軸受１１３により回転自在に支持している。
【０００７】
外郭１０３には、蓋体１０５の開閉を検知する蓋検知手段１０６が設けられている。蓋検知手段１０６は、上端子板１０６ａと、下端子板１０６ｂから構成され、外郭１０３に内包されている。蓋体１０５と、蓋検知手段１０６との間には、蓋体１０５の開閉状態を蓋検知手段１０６に伝達する伝達手段１０７を配置している。
【０００８】
蓋検知手段１０６を収納するケース１０８を設け、ケース１０８に設置した第一の軸受１０９は、伝達手段１０７を回転自在に連結支持している。外郭１０３には、蓋体１０５の一方の端部を回転自在に支持する第二の軸受１１２を装着している。
【０００９】
伝達手段１０７の一部は、蓋体１０５側に伸延し、第一のレバー１１６を構成する。蓋体１０５の一部は、第二の軸受１１２近傍から、伝達手段１０７側に伸延し、第二のレバー１１７を構成する。伝達手段１０７の一部には、下端子板接触部１２２を構成して、下端子板１０６ｂを下方から上方に付勢している。
【００１０】
使用者が洗濯兼脱水槽１０１に衣類を出し入れするなど、蓋体１０５を開く際には、第二の軸受１１２を回転中心に、蓋体１０５が時計方向に回転し、第二のレバー１１７が時計方向に回転する。第一のレバー１１６は、下端子板１０６ｂから下方向に付勢され、第一の軸受１０９を回転中心に反時計方向に回転する。上端子板１０６ａと下端子板１０６ｂとが離間し、蓋検知手段１０６は、蓋体１０５が開いたことを検知する。
【００１１】
蓋検知手段１０６の端子が開くと、図示しない制御装置は、図示しない洗濯モータを停止させ、洗濯兼脱水槽１０１の回転を停止する。これにより、蓋体１０５が開くと、伝達
手段１０７が、蓋検知手段１０６の端子を開き、洗濯モータを停止させることにより、洗濯兼脱水槽１０１が回転しているときには、蓋体１０５と外郭１０３との間に隙間が生じることを防止している。
【００１２】
蓋体１０５の他方の端部には、マグネット１３０を内包し、対向する外郭１０３内側にマグネット１３０との距離を測定する磁気センサー１３１を配置して、第二の蓋検知手段１３２を構成している。これにより、使用者が、前蓋体１１０を第三の軸受１１３を回転中心に約１８０度折り曲げて蓋体１０５を閉じる場合に、マグネット１３０から磁気センサー１３１までの距離が所定の距離より広くなって、洗濯モータの回転を止める。これにより、折り曲げた前蓋体１１０と外郭１０３との間にできた隙間から使用者の手が入る場合に、洗濯兼脱水槽１０１の回転による危険を防止している。
【先行技術文献】
【特許文献】
【００１３】
【特許文献１】特開平６−６３２８７号公報
【発明の概要】
【発明が解決しようとする課題】
【００１４】
しかしながら、このような従来の洗濯機では、上端子板１０６ａと下端子板１０６ｂとが、過電流などにより溶着する、あるいは、異物混入などで固着した場合には、使用者が蓋体１０５を開いたときに、第二のレバー１１７が下に移動して、第一のレバー１１６が下に移動しても、端子は固着したままであるため、蓋体１０５が開いたことを蓋検知手段１０６が検知できないという課題を有していた。
【００１５】
このため、蓋検知手段１０６と第二の蓋検知手段１３２とのいずれかが蓋体１０５の開放を検知したときに、蓋体１０５が開いていると判断するよう、制御装置を設計することが提案されたが、洗濯機を設計する際に、蓋検知手段１０６と第二の蓋検知手段１３２のいずれかが故障した場合と、いずれも故障していない場合との両方の組み合わせで、蓋体１０５の開閉の検知を正しく判断しなければならないため、設計が困難であった。
【００１６】
本発明は、上記従来の課題を解決するもので、簡単な構成で、蓋体の開閉を確実に検知し得る洗濯機を提供することを目的としている。
【課題を解決するための手段】
【００１７】
前記従来の課題を解決するために、本発明の洗濯機は、洗濯機本体と、前記洗濯機本体内に回転自在に配設される洗濯兼脱水槽と、前記洗濯機本体の上部に配設され、前記洗濯兼脱水槽を覆う外郭と、前記外郭に設けられ、前記洗濯兼脱水槽内に連通する衣類投入口と、前記衣類投入口を開閉自在に覆う蓋体と、前記蓋体の開閉それぞれの状態を検知する蓋検知手段と、前記蓋体と前記蓋検知手段との間に配設し、前記蓋体の開閉に連動して前記蓋検知手段を操作する伝達手段とを備え、前記蓋検知手段は、少なくとも二つの端子を備え、前記端子が接触する第一の状態と、前記端子が接触しない第二の状態とを備え、前記伝達手段は、前記蓋体が開く際に、前記端子の少なくとも一方を前記第一の状態から前記第二の状態になる方向に付勢する構成としたものである。
【００１８】
これによって、蓋検知手段の端子が固着したような場合でも、使用者が蓋体が開くことによって、端子を剥離することができ、蓋体が開いているのに、蓋体が閉じているように誤検知することを防止できる。
【発明の効果】
【００１９】
本発明の洗濯機は、簡単な構成で、蓋体の開閉を確実に検知することができる等の効果
を奏する。
【図面の簡単な説明】
【００２０】
【図１】本発明の実施の形態１における洗濯機の側断面図
【図２】同洗濯機の蓋体を閉じた状態の要部断面図
【図３】同洗濯機の蓋体を開いた状態の要部断面図
【図４】同洗濯機の接点が固着した状態で蓋体を開いた状態の要部断面図
【図５】同洗濯機の接点が固着した状態で蓋体をさらに開いた状態の要部断面図
【図６】同洗濯機の要部斜視図
【図７】同洗濯機の蓋体を閉じた状態の要部断面図
【図８】同洗濯機の蓋体を開いた状態の要部断面図
【図９】本発明の実施の形態２の洗濯機の要部断面図
【図１０】従来の洗濯機の要部断面図
【図１１】従来の洗濯機の要部断面図
【発明を実施するための形態】
【００２１】
第１の発明は、洗濯機本体と、前記洗濯機本体内に回転自在に配設される洗濯兼脱水槽と、前記洗濯機本体の上部に配設され、前記洗濯兼脱水槽を覆う外郭と、前記外郭に設けられ、前記洗濯兼脱水槽内に連通する衣類投入口と、前記衣類投入口を開閉自在に覆う蓋体と、前記蓋体の開閉それぞれの状態を検知する蓋検知手段と、前記蓋体と前記蓋検知手段との間に配設し、前記蓋体の開閉に連動して前記蓋検知手段を操作する伝達手段とを備え、前記蓋検知手段は、少なくとも二つの端子を備え、前記端子が接触する第一の状態と、前記端子が接触しない第二の状態とを備え、前記伝達手段は、前記蓋体が開く際に、前記端子の少なくとも一方を前記第一の状態から前記第二の状態になる方向に付勢することにより、端子に溶着などによる固着が生じた際でも、使用者が蓋体を開くときに、蓋体に連動する伝達手段が端子の一方を開く側に付勢し、端子を確実に引き剥がすことができ、端子が開いた状態となり、蓋体が開いたことを確実に検知できる。
【００２２】
第２の発明は、二つの端子は、略平行に配置し、伝達手段の一部は伸延して、前記二つの端子の間に略くさび形状を構成する剥離手段を備えたことにより、使用者が蓋体を開くときに、くさび形状は、固着状態を引き剥がすより小さい力で、固着した端子の隙間に入っていくので、端子を確実に引き剥がすことができ、蓋体の開閉状態を確実に蓋検知手段に伝えることができる。
【００２３】
第３の発明は、二つの端子を収納するケースと、前記ケースに構成し、伝達手段を回転自在に連結支持する第一の軸受と、外郭に構成し、蓋体を回転自在に連結支持する第二の軸受と、前記伝達手段に構成し、前記蓋体側に伸延した第一のレバーと、前記第一のレバーを第二の状態となる方向に付勢する付勢手段と、前記蓋体に構成し、前記第二の軸受近傍から伸延した第二のレバーと、を備え、前記蓋体が閉じる際には前記第二のレバーが、前記第一のレバーを前記第一の状態となる方向に付勢することにより、蓋体が開閉するときに、第一のレバーは、第二のレバーにより付勢され、また、付勢手段によって付勢されるので、第一のレバーと、第二のレバーとは、常に当接することになり、蓋体の開閉状態を確実に伝達手段に伝えることができる。
【００２４】
第４の発明は、蓋体の前方を構成する前蓋体と、前記蓋体の後方を構成する後蓋体と、前記前蓋体に構成し、前記前蓋体と前記後蓋体を回転自在に連結支持する第三の軸受と、前記前蓋体に構成する第一の回転制限手段と、前記後蓋体に構成する第二の回転制限手段と、を備え、前記前蓋体が、前記第三の軸受を回転中心として回転する際に、前記前蓋体が、所定角度回転する前に回転を停止するよう、前記第一の回転制限手段と、前記第二の回転制限手段とを配置したことにより、前蓋体と後蓋体とを折り曲げたまま蓋体を閉じて
使用者が洗濯機を運転しようとした場合でも、前蓋体の回転を、所定角度より小さい角度に制限するので、第三の軸受と衣類投入口近傍の外郭表面までの距離を広くすることができ、第二の軸受を中心に、蓋検知手段が蓋体の閉状態を検知する角度より、第二のレバーの回転角度を大きくできることにより、蓋体が閉じていると誤って検知することを防止することができる。
【００２５】
以下、本発明の実施の形態について、図面を参照しながら説明する。なお、この実施の形態によって本発明が限定されるものではない。
【００２６】
（実施の形態１）
図１は、本発明の実施の形態１における洗濯機の側断面図である。図２は、同洗濯機の蓋体が閉じた状態の要部断面図である。図３は、同洗濯機の蓋体が開いた状態の要部断面図である。図４は、同洗濯機の接点が固着した状態で蓋体を開いた状態の要部断面図である。図５は、同洗濯機の接点が固着した状態で蓋体をさらに開いた状態の要部断面図である。図６は、同洗濯機の要部斜視図である。図７は、同洗濯機の蓋体を閉じた状態の要部断面図である。図８は、同洗濯機の蓋体を開いた状態の要部断面図である。
【００２７】
図において、洗濯機本体２の内部には、洗濯兼脱水槽１が回転自在に収納されている。洗濯兼脱水槽１の下部には、洗濯兼脱水槽１を回転駆動する洗濯モータ（電気部品）１５を装着している。洗濯機本体２には、洗濯機本体２の上部全体をほぼ覆うポリプロピレンで成形した外郭３が装着されている。外郭３の略中央には、洗濯兼脱水槽１の上方に向けて下方向に伸延して衣類投入口４を形成している。外郭３には、衣類投入口４の上方全体を覆う蓋体５を開閉自在に装着している。
【００２８】
蓋体５の開閉を検出する蓋検知手段６が外郭３に内包されている。蓋検知手段６は、銅合金の薄板でできた上端子板６ａと、下端子板６ｂから構成されている。
【００２９】
蓋体５と蓋検知手段６との間には、蓋体５の開閉状態を蓋検知手段６に伝達する伝達手段７を配置しており、伝達手段７は、ポリアセタールにより成型している。
【００３０】
蓋検知手段６は、ポリアセタールで成型したケース８に内包されている。ケース８は、図示しない連結部材により外郭３に固定される。ケース８には、第一の軸受９を形成し、伝達手段７を回転自在に連結支持している。
【００３１】
蓋体５は、蓋体５の前方を構成する前蓋体１０と、蓋体５の後方を構成する後蓋体１１とから構成している。後蓋体１１の一方の端部には、外郭３と回転自在に支持する第二の軸受１２を配設している。後蓋体１１の第二の軸受１２を備える端部とは反対側の端部には、前蓋体１０と回転自在に支持する第三の軸受１３を形成している。外郭３後方から前方に向かって、第二の軸受１２、後蓋体１１、第三の軸受１３、前蓋体１０の順番に配置している。
【００３２】
前蓋体１０には、把手１４を形成し、使用者が蓋体５を開く際に、把手１４を蓋体５の開き方向、すなわち、略上方向に引き上げることにより、蓋体５が第二の軸受１２を中心に回転する。
【００３３】
伝達手段７の一部は、蓋体５側に伸延し、第一のレバー１６を構成する。蓋体５の一部は、第二の軸受１２近傍から、伝達手段７側に伸延し、第二のレバー１７を構成する。伝達手段７の一部は、さらに蓋体５側に伸延し、第三のレバー１８を構成する。第二のレバー１７を中心として、上方位置に第一のレバー１６、下方位置に第三のレバー１８を配置している。下方の第三のレバー１８は、上方の第一のレバー１６より短くしている。すな
わち、第一の軸受９の回転中心から第一のレバー１６の先端までの長さより、第一の軸受９の回転中心から第三のレバー１８の先端までの長さのほうが短く構成している。
【００３４】
ケース８に内包した上端子板６ａと、下端子板６ｂとは、略平行に配置され、上端子板６ａと下端子板６ｂは、伝達手段７側、図では下側に屈曲している。上端子板６ａと下端子板６ｂは、銅合金の薄板により構成しており、導電性を有するとともに、外力が加わると、弾性的に変形する。上端子板６ａと下端子板６ｂの先端には、それぞれ上電極１９、下電極２０が溶接されている。上端子板６ａと下端子板６ｂとは、略平行であるので、外力が加わっていない状態では、上電極１９と、下電極２０とは離れており、電気的に接触していない。上端子板６ａと、下端子板６ｂの他方の端部は、洗濯機の内部配線、制御装置（図示しない）に接続し、制御装置により洗濯モータ１５を回転、停止させている。
【００３５】
第一のレバー１６および第三のレバー１８側からみて、第一の軸受９を超えた先に位置する伝達手段７の他方の端部は、ケース８の下方に開けた孔からケース８内部に向けて伸延している。伸延した伝達手段７の一部は、上端子板６ａの下面に接触する上端子板接触部２１を構成し、上端子板６ａを屈曲した方向と反対側、図では上側に付勢している。伸延した伝達手段７の一部はさらに、下端子板６ｂの下面に接触する下端子板接触部２２を構成し、下端子板６ｂを屈曲した方向と反対側、図では上側に付勢している。上端子板接触部２１は、第一の軸受９より蓋体５の反対側に配置し、下端子板接触部２２は、第一の軸受９より蓋体５側に配置している。
【００３６】
以上の構成により、図２において、蓋体５が反時計方向にもっとも回転して閉じた状態、すなわち衣類投入口４をふさいだ状態では、第二の軸受１２を回転中心にして、第二のレバー１７が図２において反時計方向にもっとも回転した位置に位置し、第一のレバー１６を下から上に、図２では第一の軸受９を中心に、時計方向に付勢して回転させる。下端子板接触部２２も同様に回転して、下端子板６ｂを上端子板６ａ側の方向、図２では右上方向に付勢している。一方、上端子板接触部２１も同様に回転するが、第一の軸受９の反対側に位置するので、図２では右下方向に向かって回転する。
【００３７】
従って、下方向に屈曲している上端子板６ａは、下端子板６ｂ側、図２では下方に向かって変位する。以上のように、蓋体５が閉じると、上端子板６ａと下端子板６ｂが接近し、上電極１９と下電極２０が接触して（第一の状態）、回路を閉じ、蓋体５が閉じたことを検出する。
【００３８】
付勢手段であるばね２３は、一端をケース８に、他方の一端を伝達手段７に取り付けている。ばね２３は、第一のレバー１６を第二のレバー１７の方向、図２では第一の軸受９を中心に反時計方向に付勢している。
【００３９】
これにより、図３において、蓋体５が図３で時計方向に回転して開いた状態、第二の軸受１２を回転中心にして、第二のレバー１７も図３で時計方向に回転する。ばね２３が、第一のレバー１６を第二のレバー１７の方向に付勢しているので、第一のレバー１６は、第二のレバー１７の側、図３では第一の軸受９を中心に反時計方向に回転する。下端子板接触部２２も同様に回転して左下に移動して、下端子板６ｂを下から付勢しなくなり、下方向に屈曲している下端子板６ｂは、上端子板６ａ側から離れる方向、図３では下方向に変位する。
【００４０】
一方、上端子板接触部２１も同様に回転するが、第一の軸受９の反対側に位置するので、図３では左上方向に向かって回転する。上端子板接触部２１に押し上げられた上端子板６ａは、下端子板６ｂから離れる方向、図３では上方に向かって変位する。このようにして、蓋体５が開くと、上端子板６ａ、下端子板６ｂが離間し（第二の状態）、回路を開き
、蓋体５が開いたことを検出し、洗濯モータ１５の回転を停止する。
【００４１】
図４および図５において、伝達手段７には、剥離手段２４を形成しており、剥離手段２４は、上端子板６ａと下端子板６ｂとの間に配置している。剥離手段２４の上電極１９と下電極２０に対向する端部には、先端が鋭角にとがったくさび形状２５を構成している。本実施の形態では、くさび形状の先端の角度は約３０度に形成している。
【００４２】
過電流による上電極１９と下電極２０との溶着や、異物付着などにより上端子板６ａと下端子板６ｂの下電極２０とが固着している場合は、蓋体５が閉じた状態から開いた状態になるとき、第二のレバー１７が、第二の軸受１２を回転中心にして、第二のレバー１７が図４および図５において時計方向に回り始めるが、端子の固着により上端子板６ａの位置が変わらないので、上端子板接触部２１が上端子板６ａに当接した位置で、第一のレバー１６が第一の軸受９を中心に回転しなくなる（図４）。
【００４３】
さらに蓋体５を開くと（図５）、第二のレバー１７は第三のレバー１８に接触し、第一の軸受９を中心に伝達手段７が反時計方向に回転する。このとき、剥離手段２４の上電極１９側の端部は、上電極１９を上方向に付勢し、剥離手段２４の下電極２０側の端部は、下電極２０を下方向に付勢する。さらに、剥離手段２４のくさび形状２５は、上電極１９と、下電極２０の近傍まで挿入している。くさび形状２５の最大高さｈ３は、上電極１９の高さｈ１と、下電極２０の高さｈ２とを加えた高さより高くしている。
【００４４】
図６において、第一の軸受９の断面積Ｓ１より、第一のレバー１６の断面積Ｓ２を大きくしている。さらに、第一のレバー１６の断面積Ｓ２より第三のレバー１８の断面積Ｓ３を大きくしている。蓋体５の第二のレバー１７と、伝達手段７とは、上電極１９と下電極２０とが溶着、あるいは固着したときに、上電極１９と下電極２０を引き剥がすのに必要な固着力に充分耐えられるように断面積を設定している。ばね２３の付勢力は、固着力に比較して、小さくなるように設計している。
【００４５】
使用者が把手１４を把持して、蓋体５を閉じた状態から開く状態にする際に、上電極１９と下電極２０とが接触する第一の状態から、上電極１９と下電極２０とが離間する第二の状態になる任意の一点において、衣類投入口４近傍の蓋体５と外郭３との隙間は、使用者の手指が入って洗濯兼脱水槽１に届きうる隙間より小さくなるよう、蓋検知手段６、伝達手段７および第二のレバー１７の形状、配置をそれぞれ設定している。
【００４６】
洗濯兼脱水槽１を内包する水槽２８は、吊り下げ部材によって、洗濯機本体２に振動自在に保持している。水槽振動検知レバー２９は、ケース８に回転自在に支持され、水槽２８側に伸延したレバーにより、水槽２８の変位量を検知している。水槽振動検知レバー２９の他方の端部は、ケース８下方に開けた孔より、ケース８内に伸延し、上端子板６ａの下面に対向する位置に配置していて、水槽２８の変位量が所定の移動量を超えたときに、上端子板６ａを下から上に付勢するように設定している。
【００４７】
以上のように構成した洗濯機について、その動作、作用を説明する。
【００４８】
図４および図５において、上端子板６ａと下端子板６ｂが溶着などによる固着が生じているときでも、蓋体５が閉じた状態から開く状態に変わるときに、第二のレバー１７の回転によって伝達手段７が回転すると、剥離手段２４の上電極１９側の端部は、上電極１９を上方向に付勢し、剥離手段２４の下電極２０側の端部は、下電極２０を下方向に付勢する。これにより、上端子板６ａと下端子板６ｂが固着していても確実に上端子板６ａと下端子板６ｂとを引き剥がすことができ、上端子板６ａと下端子板６ｂが接触しない状態にすることができるので、蓋検知手段６が、蓋体５が開いたことを確実に検知できる。これ
により、蓋検知手段を一つ配設するだけでも、上端子板６ａと下端子板６ｂが溶着して、固着するような故障が生じても、蓋検知手段６は、簡単な構成で、確実に蓋体５が開いたことを検知することができる。
【００４９】
伝達手段７とケース８とは、それぞれ潤滑性がよく、耐久性に優れるポリアセタールで形成しているので、蓋体５の開閉を、長期にわたり確実に蓋検知手段６に伝えることができる。
【００５０】
図７と図８において、蓋体５は第二の軸受１２を通して外郭３に回転自在に支持し、伝達手段７を支持しているケース８も連結部材により外郭３に固定するので、蓋体５と伝達手段７との位置関係は、外郭３の寸法だけに依存する構成とすることができ、位置ずれしにくいので、蓋体５の開閉を確実に蓋検知手段６に伝えることができる。
【００５１】
図４において、蓋体５に構成する第二のレバー１７は、伝達手段７に構成する第一のレバー１６と、第三のレバー１８との間に挟み込むので、上端子板６ａと下端子板６ｂの固着や接点溶着が生じても、蓋体５を使用者が開くことによって、第二のレバー１７は、途中で停止している第三のレバー１８を押し下げて、上端子板６ａと下端子板６ｂの固着よりも大きな力で伝達手段７を回転させ、剥離手段２４で固着した上端子板６ａと下端子板６ｂとを確実に引き剥がすことができ、蓋体５の開閉を、確実に蓋検知手段６に伝えることができる。
【００５２】
図４において、蓋体５に構成する第二のレバー１７は、伝達手段７に構成する第一のレバー１６と、第三のレバー１８との間に挟み込むので、部品劣化による伝達手段７の摩擦抵抗の増大や、異物浸入などによる第一の軸受９の固着が生じた場合でも、蓋体５を使用者が開くことによって、第二のレバー１７は、途中で停止している第三のレバー１８を押し下げて、第一の軸受９の固着よりも大きな力で伝達手段７を回転させることができ、蓋体５の開閉を、確実に蓋検知手段６に伝えることができる。
【００５３】
図３において、下方の第三のレバー１８は、上方の第一のレバー１６より短くしているので、蓋体５が開いて、上端子板６ａと下端子板６ｂとが開いた状態になったあと、さらに蓋体５が開く際に、第二のレバー１７が、第三のレバー１８に当接しないので、容易に蓋体５を開いて衣類の出し入れをすることができ、使い勝手と、確実な蓋体５の開閉検知との両立を行うことができる。
【００５４】
図２において、蓋体５が開閉する際に、第一のレバー１６は、第二のレバー１７により下から付勢されて、付勢手段であるばね２３によって上から付勢されるので、第一のレバー１６と、第二のレバー１７とは、常時当接している。このため、蓋体５の位置を確実に伝達手段７の回転角度に伝えることができる。さらに、下方向に屈曲している上端子板６ａと下端子板６ｂとは、伝達手段７の上端子板接触部２１と下端子板接触部２２とにより、下から付勢しているので、伝達手段７の回転角度の変化を、確実に蓋検知手段６に伝えることができ、蓋体５の開閉状態を、確実に蓋検知手段６に伝えることができる。
【００５５】
図４および図５において、くさび形状２５は、電極側に対向する端が鋭角になっているので、上端子板６ａと下端子板６ｂとが溶着などによる固着が起きているときでも、固着状態を引き剥がすより小さい力で、上端子板６ａと下端子板６ｂとの隙間に容易に侵入することができ、蓋体５の開閉状態を、確実に蓋検知手段６に伝えることができる。さらに、上電極１９の高さｈ１と、下電極２０の高さｈ２とを加えた高さより、くさび形状２５の最大高さｈ３を高く設定しているので、伝達手段７の回転により、くさび形状２５が上電極１９と下電極２０との間の位置にあるとき、上電極１９と下電極２０とを確実に開くことができる。
【００５６】
図２において、水槽振動検知レバー２９の他方の端部は、上端子板６ａの下面に対向する位置に配置し、水槽２８の変位量が所定の移動量を超えたときに、上端子板６ａを下方向から上方向に付勢するように設定している。洗濯兼脱水槽１内の衣類の偏りなどによる異常振動が生じた場合には、洗濯機本体２に吊り下げた水槽２８の変位が大きくなり、所定の移動量を超えたときに、上端子板６ａを下方向から上方向に付勢して、上端子板６ａと下端子板６ｂを開くようにしている。これにより、蓋体５の開閉と、水槽２８の異常振幅とを、一つの蓋検知手段６で検知できるので、洗濯機本体２をコンパクトに構成することができる。さらに、使用者が蓋体５の開く動作をするたびに、固着による蓋検知手段６の故障や、伝達手段７の故障から回復できるので、蓋体５の開閉に加えて、水槽２８の異常振幅も、確実に検知することができる。
【００５７】
（実施の形態２）
図９は、本発明の第２の実施の形態の洗濯機における要部断面図である。
【００５８】
本発明の第２の実施の形態は、前蓋体に構成する第一の回転制限手段と、後蓋体に構成する第二の回転制限手段と、を備え、前蓋体が、第三の軸受を回転中心に回転する際に、前蓋体が略１８０度回転する前に回転を停止するよう、第一の回転制限手段と、第二の回転制限手段とを配置したものである。他の構成は上記実施の形態１と同じであり、同一構成は同一符号を付して詳細な説明を省略する。
【００５９】
図９において、衣類投入口４を蓋体５で閉じた状態、すなわち、蓋体５をまっすぐ伸ばした状態での前蓋体１０と、後蓋体１１との位置関係を第三の軸受１３の回転角度を０度とした状態である。
【００６０】
前蓋体１０が、第三の軸受１３を中心に約１１０度回転するときに、第一の回転制限手段２６と、第二の回転制限手段２７とが当接するように構成している。蓋体５が第二の軸受１２を中心にして開ききった角度は、約９０度に設定している。すなわち、第一の回転制限手段２６と、第二の回転制限手段２７とが当接するまでの第三の軸受１３の回転角度は、蓋体５が第二の軸受１２を中心にして開ききった角度より大きく、１８０度より小さくしている。
【００６１】
第一の回転制限手段２６と、第二の回転制限手段２７とが当接した状態のまま、蓋体５を閉じると、前蓋体１０の前方の端部が、衣類投入口４近傍の外郭３に当接する。このとき、上端子板６ａと下端子板６ｂとは、第二の状態、すなわち接点が開いた状態になるように、第二のレバー１７、伝達手段７および蓋検知手段６をそれぞれ設定している。
【００６２】
以上のように構成した洗濯機について、その動作、作用を説明する。
【００６３】
図９において、前蓋体１０と後蓋体１１とを折り曲げたまま蓋体５を閉じて使用者が洗濯機を運転しようとした場合には、前蓋体１０の第三の軸受１３の回転角度は、１１０度で制限する。これにより、第三の軸受１３と衣類投入口４近傍の外郭３表面までの距離Ｌ１は、前蓋体１０の厚みＬ２より大きく、前蓋体１０の長さＬ３と同等まで広くすることができる。よって、第二の軸受１２を中心に、蓋検知手段６が蓋体５の閉状態を検知する角度より、第二のレバー１７の回転角度を大きく、図９では、第一の軸受９を中心に時計回りに最大に回転した角度にできるため、蓋体５が閉じていると誤って検知することがなく、蓋検知手段を複数配置しなくても、蓋体５の開閉状態を、確実に蓋検知手段６に伝えることができる。さらに、前蓋体１０は、１１０度で回転を制限しているが、蓋体５が９０度開いた状態でも、前蓋体１０は、蓋体５の回転角度の差の２０度、前に傾斜する。使用者が蓋体５を開閉する場合、把手１４を手で把持するときに、手首を極端に曲げるなど
の負担がかからない。このため、使い勝手のよさと、蓋体５の開閉状態の確実な検知とを両立することができる。
【産業上の利用可能性】
【００６４】
以上のように、本発明にかかる洗濯機は、蓋検知手段が故障した場合でも、使用者が蓋体を開くことによって故障状態から回復することが可能となるので、蓋体の開閉状態を確実に検知する家庭用のみならず、業務用の洗濯機等に有用である。
【符号の説明】
【００６５】
１  洗濯兼脱水槽
２  洗濯機本体
３  外郭
４  衣類投入口
５  蓋体
６ａ  上端子板（端子）
６ｂ  下端子板（端子）
６  蓋検知手段
７  伝達手段
８  ケース
９  第一の軸受
１０  前蓋体
１１  後蓋体
１２  第二の軸受
１３  第三の軸受
１６  第一のレバー
１７  第二のレバー
１８  第三のレバー
２３  ばね（付勢手段）
２４  剥離手段
２５  くさび形状
２６  第一の回転制限手段
２７  第二の回転制限手段
【図１】
0006446669.tif 000002
【図２】
0006446669.tif 000003
【図３】
0006446669.tif 000004
【図４】
0006446669.tif 000005
【図５】
0006446669.tif 000006
【図６】
0006446669.tif 000007
【図７】
0006446669.tif 000008
【図８】
0006446669.tif 000009
【図９】
0006446669.tif 000010
【図１０】
0006446669.tif 000011
【図１１】
0006446669.tif 000012